(57)【要約】  同軸ケーブルを介して接続されているパルス電源から高電圧が印加されることで高速に励磁させて荷電粒子ビームを偏向させる高速励磁装置（１４０）は、集中定数回路の回路素子と等価であり、荷電粒子ビームの進行方向に対して貫通された空間が形成され、高電圧が印加されることで貫通された空間に磁場を瞬時に発生させ、貫通された空間を通過する荷電粒子ビームを偏向させるキッカー電磁石（１５０）と、キッカー電磁石（１５０）と組み合わさって整合回路を構成し、整合回路の入力インピーダンスと、整合回路の入力端子に接続される同軸ケーブルの特性インピーダンスとを整合する補助回路（１６０）とを備える。
2008072394.tif 000002
【特許請求の範囲】
【請求項１】
伝送線を介して接続されているパルス電源から高電圧が印加されることで高速に励磁させて荷電粒子ビームを偏向させる高速励磁装置であって、
集中定数回路の回路素子と等価であり、荷電粒子ビームの進行方向に対して貫通された空間が形成され、前記高電圧が印加されることで前記空間に磁場を瞬時に発生させ、前記空間を通過する荷電粒子ビームを偏向させる電磁石と、
前記電磁石と組み合わさって整合回路を構成し、前記整合回路の入力インピーダンスと、前記整合回路の入力端子に接続される前記伝送線の特性インピーダンスとを整合する補助回路と
を備えることを特徴とする高速励磁装置。
【請求項２】
前記電磁石は、コイルと磁性体のコアとから構成され、前記コイルの一端に前記伝送線を介して前記パルス電源が接続され、
前記補助回路は、
前記コイルの一端に一端が接続されている第１の回路素子と、
前記コイルの他端に一端が接続されている第２の回路素子と、
前記第１の回路素子の他端と前記第２の回路素子の他端とに一端が接続されている第３の回路素子と、
前記コイルの他端に一端が接続され、前記第３の回路素子の他端に他端が接続されている終端抵抗と
を備えることを特徴とする請求項１に記載の高速励磁装置。
【請求項３】
前記終端抵抗の抵抗値をＲとし、前記電磁石のインピーダンスをＺとした場合において、
前記第１の回路素子のインピーダンスが２Ｒ2／Ｚであり、
前記第２の回路素子のインピーダンスが２Ｒ2／Ｚであり、
前記第３の回路素子のインピーダンスがＺ／４である
ことを特徴とする請求項２に記載の高速励磁装置。
【発明の詳細な説明】
【技術分野】
【０００１】
本発明は、電磁石を瞬時的に励磁することで発生させた磁場を荷電粒子ビームに作用させ、荷電粒子ビームを円形加速器に入射させる、または荷電粒子ビームを円形加速器から射出させる高速励磁装置に関する。
【背景技術】
【０００２】
従来、シンクロトロンなどの円形加速器で使用されるキッカー電磁石は、分布定数回路を構成する複数の回路素子として設計されている（例えば、非特許文献１参照。）。ここで、キッカー電磁石とは、円形加速器のリングに荷電粒子ビームを入射させる、または円形加速器のリングから荷電粒子ビームを射出させるときに使用される電磁石である。【０００３】
図１は、従来の形態におけるキッカー電磁石を備える円形加速器の概要を示す図である。図１に示されるように、シンクロトロンなどの円形加速器１０では、リング状に設置された複数の偏向電磁石１１によって荷電粒子ビーム１２を偏向させる磁場を発生させる。また、リングの一部に設置された高周波加速装置１３によって円周方向に高周波加速電場を発生させる。これに伴い、荷電粒子ビーム１２は、周回軌道をとりながら周回を重ねるうちに加速される。このとき、高周波加速電場は、復元力としても作用する。このため、荷電粒子ビーム１２は、バンチと呼ばれる塊を形成しながら円形加速器１０のリング内を局在化して周回する。そして、十分に加速された後に、リング内を局在化して周回している荷電粒子ビーム、すなわち、バンチ化した荷電粒子ビーム（以下、ビームバンチと呼称する。）は、速いビーム取り出し法などによってリングから射出される。【０００４】
速いビーム取り出し法では、ビームバンチ１２をリングから射出させるにあたり、射出用のキッカー電磁石１５を高速で励磁する。このとき、射出用のキッカー電磁石１５は、５０〜２００ｎｓｅｃ程度で立ち上がり、２０〜５０ｍＴ程度の磁場を発生させる。これは、円形加速器１０で加速されて高エネルギー状態になったビームバンチ１２を偏向させるにあたり、射出用のキッカー電磁石１５として、応答特性が高速であり、十分な強度の磁場を発生させる必要があるためである。【０００５】
図２は、従来の形態におけるキッカー電磁石を備える高速励磁装置の概要を示す図である。図２に示されるように、高速励磁装置１４は、円形加速器１０のリングの直線部に設置された射出用のキッカー電磁石１５を高速で励磁する。ここでは、一例として、パルス電源２１、同軸ケーブル２２、射出用のキッカー電磁石１５（以下、キッカー電磁石１５と略称する。）、終端抵抗２３などを備える。同軸ケーブル２２を介してパルス電源２１の出力端子とキッカー電磁石１５の入力端子とが接続されている。キッカー電磁石１５の出力端子に終端抵抗２３の一端が接続されている。終端抵抗２３の他端が接地されている。【０００６】
また、パルス電源２１は、直流充電電源、ＰＦＮ（Pulse Formulating Network）、サイラトロンなどを備える。キッカー電磁石１５を励磁するにあたり、直流充電電源でＰＦＮを予め充電した後に、サイラトロンを点呼し、高電圧を出力する。これに伴い、キッカー電磁石１５は、伝送線の一種である同軸ケーブル２２を介して、パルス波形の高電圧（以下、パルス電圧と呼称する。）がパルス電源２１から印加される。これによって、波形３３に示されるように、パルス波形の電流（以下、パルス電流と呼称する。）が流れて駆動される。【０００７】
このとき、高速励磁装置１４は、所定のビームバンチがキッカー電磁石１５を通過した直後に、キッカー電磁石１５の励磁を開始し、次のビームバンチがキッカー電磁石１５に到達する前に、キッカー電磁石１５の励磁を完了し、所定の磁場を発生させる必要がある。すなわち、キッカー電磁石１５に磁場が立ち上がるまでに要する時間ｔは、ビームバンチ間の時間差よりも、さらに短くなるように設計されている必要がある。【０００８】
また、一般に、円形加速器１０のリング一周あたりに存在するビームバンチの個数やビームバンチ間の時間差は、円形加速器１０の設計や運転パラメーターで定まる。典型的には、ビームパンチの個数が１から数千個程度であり、ビームバンチ間の時間差が数十から数百ｎｓｅｃである。このため、波形３２に示されるように、キッカー電磁石１５の励磁立ち上がり時間として、数十から数百ｎｓｅｃ程度の応答特性が要求される。ここで、波形３１は、横軸を時間とし、縦軸をキッカー電磁石１５が設置されている場所で観測されたビームバンチの強度としている。また、波形３２は、横軸を時間とし、縦軸をキッカー電磁石１５の磁場強度としている。【０００９】
これにより、高速励磁装置１４は、高速の応答特性が要求されるので、キッカー電磁石１５に流れる電流の反射が起こらないようにしておく必要がある。そのために、キッカー電磁石１５の入力インピーダンスと、同軸ケーブル２２の特性インピーダンスとが等しくなるように整合をとる必要がある。ただし、通常、同軸ケーブル２２の特性インピーダンスは、純抵抗として扱われ、周波数と独立している。これに対して、コイルのように集中定数回路を構成する一つの回路素子としてキッカー電磁石１５が設計されているとする。この場合において、キッカー電磁石１５の入力インピーダンスは、周波数の関数となり、同軸ケーブル２２の特性インピーダンスと整合がとれなくなる。そこで、キッカー電磁石１５は、分布定数回路を構成する複数の回路素子として設計されている。【００１０】
図３は、従来の形態におけるキッカー電磁石の概要を示す図である。図３に示されるように、ここでは、一例として、キッカー電磁石１５は、磁性体コア１５ｄと、磁性体コア１５ｄを挟み込む電極板１５ａ，１５ｂ，１５ｃとから構成されるユニットを複数有し、分布定数回路を構成する回路素子１６ａ，１６ｂ，１６ｄとして設計されている。これによって、所定の遮断周波数以下の帯域に限って周波数によらず、キッカー電磁石１５の入力インピーダンスが一定になる。そして、キッカー電磁石１５に流れる電流の高調波成分の内、主成分に対して整合をとることができる。
【非特許文献１】KEK-76-21, K. Takata. S. Tazawa and Y. Kimura. “FULL APERTURE KICKER MAGNETS FOR KEK PROTON SYNCHROTRON.”(1977).
【発明の開示】
【発明が解決しようとする課題】
【００１１】
しかしながら、キッカー電磁石１５に流れるパルス電流（波形３３）には、振幅が小さいものの、遮断周波数よりも周波数が高い高周波成分が含まれるので、高速励磁装置１４は、そのような高周波成分については、整合をとることができない。結果、パルス電流に含まれる高周波成分の反射が起こり、それによって絶縁破壊が引き起こされる。【００１２】
例えば、円形加速器１０に設置された複数のキッカー電磁石１５に接続された５６本の同軸ケーブル（６５ｋＶ耐電圧）のうち１３本（２３％）を１年間で交換したという事例がある。このように、キッカー電磁石１５を使用するにあたり、長期間安定して運転することが困難という問題がある。また、放射線被爆のある保守作業が必要になるという問題もある。【００１３】
さらに、キッカー電磁石１５は、電極板１５ａ，１５ｂ，１５ｃで磁性体コア１５ｄを挟み込んでいるので、高電圧が印加されることで電極板間に放電が起こることがある。これを回避するために、キッカー電磁石１５の全体を真空容器の中に収める必要がある。【００１４】
また、キッカー電磁石１５が設置される円形加速器１０のリングの直線部は、長さが制限されている。このため、キッカー電磁石１５が真空容器の中に収められることで、キッカー電磁石１５の大きさの制限がさらに厳しくなるという問題もある。【００１５】
また、円形加速器１０のリングの真空部分に、こうした真空特性の悪い磁性体を挿入するので、磁性体から生じるガスによって、真空状態が悪化し、ビーム損失を引き起こすという問題もある。【００１６】
また、キッカー電磁石１５が真空容器の中に収められるので、キッカー電磁石１５に電流を導入するために、パルス電流導入端子が真空容器に取り付けられる。このパルス電流導入端子は、インピーダンスの整合がとられ、かつ耐圧が要求されるので、非常に高い精度で加工される必要があり、非常に高価である。このように、インピーダンス整合、高耐圧、真空の条件などにより、フェライト、接着剤、パルス電流導入端子、コンデンサなど、構成要素の製作及び選択が困難という問題もある。【００１７】
そこで、本発明は、上記問題に鑑みてなされたものであり、全周波数帯域に亘って無反射であって構造が簡単で保守が容易である高速励磁装置を提供することを目的とする。
【課題を解決するための手段】
【００１８】
上記目的を達成するために、本発明に係わる高速励磁装置は、（ａ）伝送線を介して接続されているパルス電源から高電圧が印加されることで高速に励磁させて荷電粒子ビームを偏向させる高速励磁装置であって、（ａ１）集中定数回路の回路素子と等価であり、荷電粒子ビームの進行方向に対して貫通された空間が形成され、前記高電圧が印加されることで前記空間に磁場を瞬時に発生させ、前記空間を通過する荷電粒子ビームを偏向させる電磁石と、（ａ２）前記電磁石と組み合わさって整合回路を構成し、前記整合回路の入力インピーダンスと、前記整合回路の入力端子に接続される前記伝送線の特性インピーダンスとを整合する補助回路とを備える。【００１９】
これによって、電磁石と補助回路とが組み合わさることで構成される整合回路（集中定数回路）と伝送線との間でインピーダンスを整合することができる。これにより、一切反射が起こらないようにすることができる。反射による破壊故障が極力さけられ、長期間に亘って安定した運転を実現することが期待でき、放射線被爆を含む保守作業を軽減することができる。
【発明の効果】
【００２０】
本発明によれば、電磁石が集中定数回路を構成する一つの回路素子として設計されているにもかかわらず、電磁石と補助回路とが組み合わさることで、原理的に全周波数帯域に亘って入力インピーダンスを一定にすることができる。このため、電磁石と補助回路とが組み合わさることで構成される整合回路（集中定数回路）と伝送線との間で完全な整合をとることができ、一切反射が起こらないようにすることができる。反射による破壊故障が極力さけられ、長期間に亘って安定した運転を実現することが期待でき、放射線被爆を含む保守作業を軽減することができる。【００２１】
さらに、本発明における電磁石と補助回路とは、別々に実装することができる。これにより、補助回路の回路素子として安価でサイズが大きい部品を利用することができ、耐電圧条件の緩和等、回路素子の製作や選別が容易になる。【００２２】
さらに、本発明における電磁石は、従来の形態における電磁石と比べれば、構造が単純であり、部品点数が大幅に少なくて済み、設計が飛躍的に容易になる。【００２３】
さらに、本発明における電磁石は、磁性体コアを電極板で挟み込む必要がなく、電極板間の放電を考慮して電磁石を真空容器に収める必要がないので、従来の形態における電磁石で必要不可欠であった真空容器を必要としない。これにより、設置スペースが制限されている円形加速器のリングの直線部を有効に活用することができる。また、真空容器に取り付けられている端子のように、非常に高い精度を要求する部品を使用する必要がない。しかも、真空特性を劣化させる磁性体コアを大気中に設置することができるので、荷電粒子ビームが周回する円形加速器のリング内を高真空状態に維持することができ、荷電粒子ビームの不必要な損失を避けることができる。
【図面の簡単な説明】
【００２４】
【図１】図１は、従来の形態におけるキッカー電磁石を備える円形加速器の概要を示す図である。
【図２】図２は、従来の形態におけるキッカー電磁石を備える高速励磁装置の概要を示す図である。
【図３】図３は、従来の形態におけるキッカー電磁石の概要を示す図である。
【図４】図４は、本発明に係わる実施の形態におけるキッカー電磁石を備える円形加速器の概要を示す図である。
【図５】図５は、本発明に係わる実施の形態におけるキッカー電磁石を備える高速励磁装置の概要を示す図である。
【図６】図６は、本発明に係わる実施の形態におけるキッカー電磁石の概要を示す斜視図である。
【図７】図７は、本発明に係わる実施の形態におけるキッカー電磁石を入射口側から見た側面図と、射出口側から見た側面図と、Ａ−Ａ線で切断して矢視方向に見た断面図とから構成される図である。
【図８Ａ】図８Ａは、本発明に係わる実施の形態におけるキッカー電磁石と補助回路とからなる回路の概要を示す第１の図である。
【図８Ｂ】図８Ｂは、本発明に係わる実施の形態におけるキッカー電磁石と補助回路とからなる回路の概要を示す第２の図である。
【図９】図９は、本発明に係わる実施の形態におけるキッカー電磁石と従来の形態におけるキッカー電磁石とのパルス応答の比較を示す図である。
【図１０】図１０は、本発明に係わる実施の形態におけるキッカー電磁石と従来の形態におけるキッカー電磁石との入力インピーダンスの比較を示す図である。
【符号の説明】
【００２５】
１０  円形加速器
１１  偏向電磁石
１２  荷電粒子ビーム（ビームバンチ）
１３  高周波加速装置
１４  高速励磁装置
１５  キッカー電磁石
１７  励磁回路
２１  パルス電源
２２  同軸ケーブル
２３  終端抵抗
１５ａ，１５ｂ，１５ｃ  電極板
１５ｄ  磁性体コア
１６ａ，１６ｂ  回路素子（コンデンサ）
１６ｄ  回路素子（インダクタ）
１００  加速器
１４０  高速励磁装置
１５０  キッカー電磁石（回路素子Ｚ１）
１５１  磁性体
１５２，１５３  導体
１５４  ダクト
１５５  入射口
１５６  射出口
１６０  補助回路
１６１  コンデンサ（回路素子Ｚ２）
１６２  コンデンサ（回路素子Ｚ３）
１６３  コイル（回路素子Ｚ４）
１７０  ４端子回路
１７１，１７２  入力端子
１７３，１７４  出力端子
【発明を実施するための最良の形態】
【００２６】
（実施の形態）
以下、本発明に係わる実施の形態について、図面を参照しながら説明する。【００２７】
本実施の形態における高速励磁装置は、下記（ａ）〜（ｃ）に示される特徴を備える。【００２８】
（ａ）伝送線を介して接続されているパルス電源から高電圧が印加されることで高速に励磁させて荷電粒子ビームを偏向させる高速励磁装置であって、（ａ１）集中定数回路の回路素子と等価であり、荷電粒子ビームの進行方向に対して貫通された空間が形成され、高電圧が印加されることで空間に磁場を瞬時に発生させ、空間を通過する荷電粒子ビームを偏向させる電磁石と、（ａ２）電磁石と組み合わさって整合回路を構成し、整合回路の入力インピーダンスと、整合回路の入力端子に接続される伝送線の特性インピーダンスとを整合する補助回路とを備える。【００２９】
（ｂ）（ｂ１）電磁石は、コイルと磁性体のコアとから構成され、コイルの一端に伝送線を介してパルス電源が接続され、（ｂ２）補助回路は、（ｂ２−１）コイルの一端に一端が接続されている第１の回路素子と、（ｂ２−２）コイルの他端に一端が接続されている第２の回路素子と、（ｂ２−３）第１の回路素子の他端と第２の回路素子の他端とに一端が接続されている第３の回路素子と、（ｂ２−４）コイルの他端に一端が接続され、第３の回路素子の他端に他端が接続されている終端抵抗とを備える。【００３０】
（ｃ）終端抵抗の抵抗値をＲとし、電磁石のインピーダンスをＺとした場合において、（ｃ１）第１の回路素子のインピーダンスが２Ｒ2／Ｚであり、（ｃ２）第２の回路素子のインピーダンスが２Ｒ2／Ｚであり、（ｃ３）第３の回路素子のインピーダンスがＺ／４である。【００３１】
以上の点を踏まえて、本実施の形態における高速励磁装置について説明する。【００３２】
図４は、本実施の形態におけるキッカー電磁石を備える円形加速器の概要を示す図である。図４に示されるように、円形加速器１００は、複数の偏向電磁石１１がリング状に設置されている。また、これら偏向電磁石１１の間のうち、すなわち、円形加速器１００のリングの直線部のうち、荷電粒子ビーム１２の入射箇所に、入射用のキッカー電磁石１５０が設置され、荷電粒子ビーム１２の射出箇所に、射出用のキッカー電磁石１５０が設置されている。【００３３】
そして、入射用のキッカー電磁石１５０によって所定時間分の荷電粒子ビーム１２（以下、ビームバンチ１２と呼称する。）が円形加速器１００のリングに入射する。入射したビームバンチ１２は、複数の偏向電磁石１１によって偏向されて周回軌道をとりながら周回を重ねる。そして、周回を重ねるうちに加速され、十二分に加速された後に、射出用のキッカー電磁石１５０によって取り出される。【００３４】
ここで、入射箇所と射出個所とに設置されるキッカー電磁石１５０は、キッカー電磁石１５と比べれば、構造が単純であり、コイルと磁性体（フェライトなど）とから構成され、集中定数回路を構成する一つの回路素子と等価である。さらに、補助回路１６０と組み合わさることで、キッカー電磁石１５０を駆動する駆動系との間でインピーダンス整合がとれた回路を構成する。【００３５】
なお、キッカー電磁石１５０と補助回路１６０とは、別々に設置することができる。これによって、設置スペースが制限される円形加速器１００のリングの直線部を有効に活用することができる。ここでは、一例として、キッカー電磁石１５０は、０．２〜０．５ｍ程度の長さの直線部に設置されているとする。【００３６】
図５は、本実施の形態におけるキッカー電磁石１５０を備える高速励磁装置の概要を示す図である。図５に示されるように、ここでは、一例として、高速励磁装置１４０は、キッカー電磁石１５０、補助回路１６０を備える。また、従来の高速励磁装置１４のように（例えば、図２参照。）、パルス電源、同軸ケーブルなどを備える。パルス電源２１は、直流充電電源、ＰＦＮ（Pulse Formulating Network）、サイラトロンなどを備える。キッカー電磁石１５０を励磁するにあたり、直流充電電源でＰＦＮを予め充電した後に、サイラトロンを点呼し、高電圧を出力する。これによって、キッカー電磁石１５０は、伝送線の一種である同軸ケーブル２２を介して、パルス波形の高電圧（以下、パルス電圧と呼称する。）がパルス電源から印加され、パルス電流が流れて駆動される。このようにして、高速励磁装置１４０は、円形加速器１００のリングの直線部に設置されたキッカー電磁石１５０を高速で励磁する。【００３７】
図６は、本実施の形態におけるキッカー電磁石１５０の概要を示す斜視図である。図７は、本実施の形態におけるキッカー電磁石１５０を入射口１５５側から見た側面図と、射出口１５６側から見た側面図と、Ａ−Ａ線で切断して矢視方向に見た断面図とから構成される図である。図６，図７に示されるように、キッカー電磁石１５０は、ビームバンチ１２の進行方向に対して貫通された空間が磁性体１５１に形成されている。また、パルス波形の電流（以下、パルス電流と呼称する。）が流れる導体１５２，１５３が磁性体１５１の内側に取り付けられている。ここで、導体１５２，１５３は、射出口１５６側で短絡されている。さらに、貫通された空間にセラミック製のダクト１５４が挿入されて円形加速器１００のリングの直線部に設置される。【００３８】
そして、あらかじめ真空にされているダクト１５４の内部をビームバンチ１２が通過し、入射口１５５側からビームバンチ１２が入射する時機を見計らってパルス電流が供給されたとする。この場合において、キッカー電磁石１５０は、ビームバンチ１２の進行方向に対して垂直方向に強磁場を発生させ、ビームバンチ１２を偏向させて、射出口１５６から射出する。【００３９】
なお、導体１５３から導体１５２の向きに流れるパルス電流が供給されると、キッカー電磁石１５０は、ビームバンチ１２の進行方向に対して垂直方向（上向き）に強磁場を発生させる。逆向きのパルス電流が供給されると、逆向きの強磁場を発生させ、逆向きに偏向する。【００４０】
図８Ａ、図８Ｂは、本実施の形態におけるキッカー電磁石１５０と補助回路１６０とからなる回路の概要を示す図である。図８Ａに示されるように、キッカー電磁石１５０は、補助回路１６０と組み合わさることで、４端子回路１７０と終端抵抗２３とからなる集中定数回路を構成する。【００４１】
４端子回路１７０は、回路素子Ｚ１，Ｚ２，Ｚ３，Ｚ４から構成されるブリッジＴ型の４端子回路である。入力端子１７１が同軸ケーブル２２を介してパルス電源２１の出力端子に接続されている。出力端子１７３が終端抵抗２３の一端に接続されている。入力端子１７２が接地されている。出力端子１７４が終端抵抗２３の他端に接続されている。【００４２】
また、４端子回路１７０は、回路素子Ｚ１の一端が入力端子１７１に接続され、回路素子Ｚ１の他端が出力端子に接続されている。回路素子Ｚ２の一端が入力端子１７１に接続され、回路素子Ｚ２の他端が回路素子Ｚ３の一端に接続されている。回路素子Ｚ３の一端が回路素子Ｚ２の他端に接続され、回路素子Ｚ３の他端が出力端子１７３に接続されている。回路素子Ｚ４の一端が回路素子Ｚ２の他端と回路素子Ｚ３の一端とに接続され、回路素子Ｚ４の他端が入力端子１７２と出力端子１７４とに接続されている。【００４３】
ここで、終端抵抗２３の抵抗値をＲとし、回路素子Ｚ１のインピーダンスをＺとし、回路素子Ｚ２，Ｚ３のインピーダンスをＺpとし、回路素子Ｚ４のインピーダンスをＺsとする。この場合において、４端子回路１７０の入力インピーダンスＺinは、下記の式（１）で示される。【００４４】
【数１】
2008072394.tif 000003
【００４５】
ここで、下記の式（２）で示される条件（以下、完全整合条件と呼称する。）を満たすとき、入力インピーダンスＺinがＲになる。【００４６】
【数２】
2008072394.tif 000004
【００４７】
なお、完全整合条件を満たすＺsとＺpとの解は複数存在する。ここでは、一例として、下記の式（３）で示されるように、ＺsとＺpとの解を回路素子Ｚ１のインピーダンスＺを使用して定義する。【００４８】
【数３】
2008072394.tif 000005
【００４９】
ここで、図８Ｂに示されるように、回路素子Ｚ１をキッカー電磁石１５０とする。また、回路素子Ｚ２，Ｚ３をコンデンサ１６１，１６２とする。回路素子Ｚ４をコイル１６３とする。この場合において、キッカー電磁石１５０のインダクタンスをＬとする。また、上記の式（３）から、コンデンサ１６１，１６２の静電容量をＬ／（２Ｒ2）とし、コイル１６３のインダクタンスをＬ／４とする。さらに、同軸ケーブル２２の特性インピーダンスをＺ0＝Ｒとすれば、４端子回路１７０の入力インピーダンスＺinは、周波数によらず、Ｒで一定の値とすることができる。これによって、４端子回路１７０の入力インピーダンスＺinと、同軸ケーブル２２の特性インピーダンスＺ0との整合を実現することができる。【００５０】
このとき、４端子回路１７０は、パルス電圧Ｖ0に対するパルス電流Ｉmの周波数応答特性が低域通過網型の周波数特性になる。その遮断角周波数はωc＝２Ｒ／Ｌである。また、キッカー電磁石１５０に流れるパルス電流はＩm＝Ｖ0／Ｒである。【００５１】
なお、キッカー電磁石１５０に印加されるパルス電圧Ｖ0（Ｖ0＜４０ｋＶ程度である。）が立ち上がるまでにパルス電源２１のサイラトロンのスイッチングに要するスイッチング遅延時間ｔs（ｔs〜２５ｎｓｅｃ程度である。）だけ要する。さらに、キッカー電磁石１５０にパルス電流Ｉmが伝達されるまでに電流伝達時間ｔm＝Ｌ／Ｒだけ要する。これから、最終的に、キッカー電磁石１５０に磁場が立ち上がるまでの立ち上がり時間はｔ＝ｔs＋ｔmになる。【００５２】
ここで、一例として、パルス電流をＩm＝６ｋＡ、立ち上がり時間５０ｎｓｅｃ、パルス出力電圧Ｖ0＝３０ｋＶとする。この場合において、終端抵抗２３の抵抗値はＲ＜Ｖ0／Ｉm〜５Ω程度になり、キッカー電磁石１５０のインダクタンスはＬ＜Ｒ（ｔ−ｔs）〜０．１２５μＨ程度になる。【００５３】
図９は、本実施の形態におけるキッカー電磁石１５０と従来の形態におけるキッカー電磁石１５とのパルス応答の比較を示す図である。図９に示されるように、ここでは、一例として、キッカー電磁石１５０のインダクタンスを０．１２５μＨとし、コンデンサ１６１，１６２の静電容量を２．５ｎＦとし、コイル１６３のインダクタンスを３１．２５ｎＨとする。この場合において、パルス電源２１からスイッチング遅延時間２５ｎｓｅｃで３０ｋＶのパルス電圧Ｖ0が印加されると、立ち上がり時間５０ｎｓｅｃで６ｋＡのパルス電流がキッカー電磁石１５０に流れる（グラフ１８０）。これに対して、キッカー電磁石１５では、５つに分割された磁性体コアに順次パルス電流が流れ、５０ｎｓｅｃで立ち上がることが示されている（グラフ１８）。【００５４】
すなわち、立ち上がり時間に関しては、両者に顕著な差がみられない。これにより、複雑な構造のキッカー電磁石１５の代わりに、単純な構造のキッカー電磁石１５０によっても、同等の立ち上がり時間を実現することができる。【００５５】
図１０は、本実施の形態におけるキッカー電磁石１５０と従来の形態におけるキッカー電磁石１５との入力インピーダンスの比較を示す図である。図１０に示されるように、従来の形態におけるキッカー電磁石１５では、遮断周波数より高い帯域においては、入力インピーダンスが周波数に依存し、整合をとることができない（グラフ１９）。しかし、本実施の形態におけるキッカー電磁石１５０では、補助回路１６０と組み合わさることによって、全周波数帯域に亘ってインピーダンスが５Ωで一定となる（グラフ１９０）。このため、反射による破壊故障が起き難くなり、長期間安定して運転することが容易になる。その結果として、放射線被爆のある保守作業を軽減することできる。【００５６】
以上、本実施の形態における高速励磁装置１４０によれば、キッカー電磁石１５０が集中定数回路を構成する一つの回路素子として設計されているにもかかわらず、キッカー電磁石１５０と補助回路１６０とが組み合わさることで、原理的に全周波数帯域に亘って入力インピーダンスを一定にすることができる。このため、４端子回路１７０と同軸ケーブル２２との間で完全な整合をとることができ、一切反射が起こらないようにすることができる。反射による破壊故障が極力さけられ、長期間に亘って安定した運転を実現することが期待でき、放射線被爆を含む保守作業を軽減することができる。【００５７】
さらに、キッカー電磁石１５０と補助回路１６０とは、別々に実装することができる。これにより、補助回路１６０の回路素子として安価でサイズが大きい部品を利用することができ、耐電圧条件の緩和等、回路素子の製作や選別が容易になる。【００５８】
さらに、キッカー電磁石１５０は、キッカー電磁石１５と比べれば、構造が単純であり、部品点数が大幅に少なくて済み、キッカー電磁石１５０自体の設計が飛躍的に容易になる。【００５９】
さらに、キッカー電磁石１５０は、従来の形態におけるキッカー電磁石１５で必要不可欠であった真空容器を必要としない。これにより、設置スペースが制限されている円形加速器１００のリングの直線部を有効に活用することができる。また、真空容器に取り付けられている端子のように、非常に高い精度を要求する部品を使用する必要がない。しかも、真空特性を劣化させる磁性体コアを大気中に設置することができるので、荷電粒子ビームが周回する円形加速器のリング内を高真空状態に維持することができ、荷電粒子ビームの不必要な損失を避けることができる。
【産業上の利用可能性】
【００６０】
本発明は、電磁石を瞬時的に励磁することで発生させた磁場を荷電粒子ビームに作用させ、荷電粒子ビームを円形加速器に入射させる、または荷電粒子ビームを円形加速器から射出させる高速励磁装置などとして、利用することができる。
【図１】
2008072394.tif 000006
【図２】
2008072394.tif 000007
【図３】
2008072394.tif 000008
【図４】
2008072394.tif 000009
【図５】
2008072394.tif 000010
【図６】
2008072394.tif 000011
【図７】
2008072394.tif 000012
【図８Ａ】
2008072394.tif 000013
【図８Ｂ】
2008072394.tif 000014
【図９】
2008072394.tif 000015
【図１０】
2008072394.tif 000016
【手続補正書】
【提出日】平成19年11月1日(2007.11.1)
【手続補正１】
【補正対象書類名】特許請求の範囲
【補正対象項目名】全文
【補正方法】変更
【補正の内容】
【特許請求の範囲】
【請求項１】
伝送線を介して接続されているパルス電源から高電圧が印加されることで高速に励磁させて荷電粒子ビームを偏向させる高速励磁装置であって、
集中定数回路の回路素子と等価であり、荷電粒子ビームの進行方向に対して貫通された空間が形成され、前記高電圧が印加されることで前記空間に磁場を瞬時に発生させ、前記空間を通過する荷電粒子ビームを偏向させる電磁石と、
前記電磁石と組み合わさって整合回路を構成し、前記整合回路の入力インピーダンスと、前記整合回路の入力端子に接続される前記伝送線の特性インピーダンスとを整合する補助回路とを備え、
前記電磁石と前記補助回路とが組み合わさって構成される整合回路は、前記伝送線に接続されるブリッジＴ型４端子回路を含み、
前記ブリッジＴ型４端子回路におけるブリッジは、前記電磁石を構成するコイルである
ことを特徴とする高速励磁装置。
【請求項２】
前記電磁石は、コイルと磁性体のコアとから構成され、前記コイルの一端に前記伝送線を介して前記パルス電源が接続され、
前記補助回路は、
前記コイルの一端に一端が接続されている第１の回路素子と、
前記コイルの他端に一端が接続されている第２の回路素子と、
前記第１の回路素子の他端と前記第２の回路素子の他端とに一端が接続されている第３の回路素子と、
前記コイルの他端に一端が接続され、前記第３の回路素子の他端に他端が接続されている終端抵抗と
を備えることを特徴とする請求項１に記載の高速励磁装置。
【請求項３】
前記終端抵抗の抵抗値をＲとし、前記電磁石のインピーダンスをＺとした場合において、
前記第１の回路素子のインピーダンスが２Ｒ２／Ｚであり、
前記第２の回路素子のインピーダンスが２Ｒ２／Ｚであり、
前記第３の回路素子のインピーダンスがＺ／４である
ことを特徴とする請求項２に記載の高速励磁装置。
【手続補正書】
【提出日】平成21年6月12日(2009.6.12)
【手続補正１】
【補正対象書類名】明細書
【補正対象項目名】全文
【補正方法】変更
【補正の内容】
【発明の詳細な説明】
【技術分野】
【０００１】
本発明は、電磁石を瞬時的に励磁することで発生させた磁場を荷電粒子ビームに作用させ、荷電粒子ビームを円形加速器に入射させる、または荷電粒子ビームを円形加速器から射出させる高速励磁装置及びそれを供える円形加速器に関する。
【背景技術】
【０００２】
従来、シンクロトロンなどの円形加速器で使用されるキッカー電磁石は、分布定数回路を構成する複数の回路素子として設計されている（例えば、非特許文献１参照。）。ここで、キッカー電磁石とは、円形加速器のリングに荷電粒子ビームを入射させる、または円形加速器のリングから荷電粒子ビームを射出させるときに使用される電磁石である。
【０００３】
図１は、従来の形態におけるキッカー電磁石を備える円形加速器の概要を示す図である。図１に示されるように、シンクロトロンなどの円形加速器１０では、リング状に設置された複数の偏向電磁石１１によって荷電粒子ビーム１２を偏向させる磁場を発生させる。また、リングの一部に設置された高周波加速装置１３によって円周方向に高周波加速電場を発生させる。これに伴い、荷電粒子ビーム１２は、周回軌道をとりながら周回を重ねるうちに加速される。このとき、高周波加速電場は、復元力としても作用する。このため、荷電粒子ビーム１２は、バンチと呼ばれる塊を形成しながら円形加速器１０のリング内を局在化して周回する。そして、十分に加速された後に、リング内を局在化して周回している荷電粒子ビーム、すなわち、バンチ化した荷電粒子ビーム（以下、ビームバンチと呼称する。）は、速いビーム取り出し法などによってリングから射出される。
【０００４】
速いビーム取り出し法では、ビームバンチ１２をリングから射出させるにあたり、射出用のキッカー電磁石１５を高速で励磁する。このとき、射出用のキッカー電磁石１５は、５０〜２００ｎｓｅｃ程度で立ち上がり、２０〜５０ｍＴ程度の磁場を発生させる。これは、円形加速器１０で加速されて高エネルギー状態になったビームバンチ１２を偏向させるにあたり、射出用のキッカー電磁石１５として、応答特性が高速であり、十分な強度の磁場を発生させる必要があるためである。
【０００５】
図２は、従来の形態におけるキッカー電磁石を備える高速励磁装置の概要を示す図である。図２に示されるように、高速励磁装置１４は、円形加速器１０のリングの直線部に設置された射出用のキッカー電磁石１５を高速で励磁する。ここでは、一例として、パルス電源２１、同軸ケーブル２２、射出用のキッカー電磁石１５（以下、キッカー電磁石１５と略称する。）、終端抵抗２３などを備える。同軸ケーブル２２を介してパルス電源２１の出力端子とキッカー電磁石１５の入力端子とが接続されている。キッカー電磁石１５の出力端子に終端抵抗２３の一端が接続されている。終端抵抗２３の他端が接地されている。
【０００６】
また、パルス電源２１は、直流充電電源、ＰＦＮ（Pulse Forming Network）、サイラトロンなどを備える。キッカー電磁石１５を励磁するにあたり、直流充電電源でＰＦＮを予め充電した後に、サイラトロンを点呼し、高電圧を出力する。これに伴い、キッカー電磁石１５は、伝送線の一種である同軸ケーブル２２を介して、パルス波形の高電圧（以下、パルス電圧と呼称する。）がパルス電源２１から印加される。これによって、波形３３に示されるように、パルス波形の電流（以下、パルス電流と呼称する。）が流れて駆動される。
【０００７】
このとき、高速励磁装置１４は、所定のビームバンチがキッカー電磁石１５を通過した直後に、キッカー電磁石１５の励磁を開始し、次のビームバンチがキッカー電磁石１５に到達する前に、キッカー電磁石１５の励磁を完了し、所定の磁場を発生させる必要がある。すなわち、キッカー電磁石１５に磁場が立ち上がるまでに要する時間ｔは、ビームバンチ間の時間差よりも、さらに短くなるように設計されている必要がある。
【０００８】
また、一般に、円形加速器１０のリング一周あたりに存在するビームバンチの個数やビームバンチ間の時間差は、円形加速器１０の設計や運転パラメーターで定まる。典型的には、ビームパンチの個数が１から数千個程度であり、ビームバンチ間の時間差が数十から数百ｎｓｅｃである。このため、波形３２に示されるように、キッカー電磁石１５の励磁立ち上がり時間として、数十から数百ｎｓｅｃ程度の応答特性が要求される。ここで、波形３１は、横軸を時間とし、縦軸をキッカー電磁石１５が設置されている場所で観測されたビームバンチの強度としている。また、波形３２は、横軸を時間とし、縦軸をキッカー電磁石１５の磁場強度としている。
【０００９】
これにより、高速励磁装置１４は、高速の応答特性が要求されるので、キッカー電磁石１５に流れる電流の反射が起こらないようにしておく必要がある。そのために、キッカー電磁石１５の入力インピーダンスと、同軸ケーブル２２の特性インピーダンスとが等しくなるように整合をとる必要がある。ただし、通常、同軸ケーブル２２の特性インピーダンスは、純抵抗として扱われ、周波数と独立している。これに対して、コイルのように集中定数回路を構成する一つの回路素子としてキッカー電磁石１５が設計されているとする。この場合において、キッカー電磁石１５の入力インピーダンスは、周波数の関数となり、同軸ケーブル２２の特性インピーダンスと整合がとれなくなる。そこで、キッカー電磁石１５は、分布定数回路を構成する複数の回路素子として設計されている。
【００１０】
図３は、従来の形態におけるキッカー電磁石の概要を示す図である。図３に示されるように、ここでは、一例として、キッカー電磁石１５は、磁性体コア１５ｄと、磁性体コア１５ｄを挟み込む電極板１５ａ，１５ｂ，１５ｃとから構成されるユニットを複数有し、分布定数回路を構成する回路素子１６ａ，１６ｂ，１６ｄとして設計されている。これによって、所定の遮断周波数以下の帯域に限って周波数によらず、キッカー電磁石１５の入力インピーダンスが一定になる。そして、キッカー電磁石１５に流れる電流の高調波成分の内、主成分に対して整合をとることができる。
【先行技術文献】
【非特許文献】
【００１１】
【非特許文献１】KEK-76-21, K. Takata., S. Tazawa and Y. Kimura., “FULL APERTURE KICKER MAGNETS FOR KEK PROTON SYNCHROTRON.”(1977).
【発明の概要】
【発明が解決しようとする課題】
【００１２】
しかしながら、キッカー電磁石１５に流れるパルス電流（波形３３）には、振幅が小さいものの、遮断周波数よりも周波数が高い高周波成分が含まれるので、高速励磁装置１４は、そのような高周波成分については、整合をとることができない。結果、パルス電流に含まれる高周波成分の反射が起こり、それによって絶縁破壊が引き起こされる。
【００１３】
例えば、円形加速器１０に設置された複数のキッカー電磁石１５に接続された５６本の同軸ケーブル（６５ｋＶ耐電圧）のうち１３本（２３％）を１年間で交換したという事例がある。このように、キッカー電磁石１５を使用するにあたり、長期間安定して運転することが困難という問題がある。また、放射線被爆のある保守作業が必要になるという問題もある。
【００１４】
さらに、キッカー電磁石１５は、電極板１５ａ，１５ｂ，１５ｃで磁性体コア１５ｄを挟み込んでいるので、高電圧が印加されることで電極板間に放電が起こることがある。これを回避するために、キッカー電磁石１５の全体を真空容器の中に収める必要がある。
【００１５】
また、キッカー電磁石１５が設置される円形加速器１０のリングの直線部は、長さが制限されている。このため、キッカー電磁石１５が真空容器の中に収められることで、キッカー電磁石１５の大きさの制限がさらに厳しくなるという問題もある。
【００１６】
また、円形加速器１０のリングの真空部分に、こうした真空特性の悪い磁性体を挿入するので、磁性体から生じるガスによって、真空状態が悪化し、ビーム損失を引き起こすという問題もある。
【００１７】
また、キッカー電磁石１５が真空容器の中に収められるので、キッカー電磁石１５に電流を導入するために、パルス電流導入端子が真空容器に取り付けられる。このパルス電流導入端子は、インピーダンスの整合がとられ、かつ耐圧が要求されるので、非常に高い精度で加工される必要があり、非常に高価である。このように、インピーダンス整合、高耐圧、真空の条件などにより、フェライト、接着剤、パルス電流導入端子、コンデンサなど、構成要素の製作及び選択が困難という問題もある。
【００１８】
そこで、本発明は、上記問題に鑑みてなされたものであり、全周波数帯域に亘って無反射であって構造が簡単で保守が容易である高速励磁装置及びそれを備える円形加速器を提供することを目的とする。
【課題を解決するための手段】
【００１９】
上記目的を達成するために、本発明に係わる高速励磁装置は、（ａ）伝送線を介して接続されているパルス電源から高電圧が印加されることで高速に励磁させて荷電粒子ビームを偏向させる高速励磁装置であって、（ａ１）集中定数回路の回路素子と等価な電磁石であり、荷電粒子ビームの進行方向に対して貫通された空間が形成され、前記高電圧が印加されることで前記空間に磁場を瞬時に発生させ、前記空間を通過する荷電粒子ビームを偏向させる電磁石と、（ａ２）前記電磁石と組み合わさって整合回路を構成し、前記整合回路の入力インピーダンスと、前記整合回路の入力端子に接続される前記伝送線の特性インピーダンスとを整合する補助回路とを備え、前記電磁石と前記補助回路とが組み合わさって構成される整合回路は、前記伝送線に接続されるブリッジＴ型４端子回路を含み、前記ブリッジＴ型４端子回路におけるブリッジは、前記電磁石を構成するコイルである。
【００２０】
これによって、電磁石と補助回路とが組み合わさることで構成される整合回路（集中定数回路）と伝送線との間でインピーダンスを整合することができる。これにより、一切反射が起こらないようにすることができる。反射による破壊故障が極力さけられ、長期間に亘って安定した運転を実現することが期待でき、放射線被爆を含む保守作業を軽減することができる。
なお、本発明は高速励磁装置として実現できるだけでなく、荷電粒子ビームを加速する円形加速器であって、リング状に設置された複数の偏向電磁石と、前記荷電粒子ビームの走行途上に設置された上記高速励磁装置とを備える円形加速器として実現することもできる。
【発明の効果】
【００２１】
本発明に係る高速励磁装置及び円形加速器によれば、高速励磁装置において、電磁石が集中定数回路を構成する一つの回路素子として設計されているにもかかわらず、電磁石と補助回路とが組み合わさることで、原理的に全周波数帯域に亘って入力インピーダンスを一定にすることができる。このため、電磁石と補助回路とが組み合わさることで構成される整合回路（集中定数回路）と伝送線との間で完全な整合をとることができ、一切反射が起こらないようにすることができる。反射による破壊故障が極力さけられ、長期間に亘って安定した運転を実現することが期待でき、放射線被爆を含む保守作業を軽減することができる。
【００２２】
さらに、本発明における電磁石と補助回路とは、別々に実装することができる。これにより、補助回路の回路素子として安価でサイズが大きい部品を利用することができ、耐電圧条件の緩和等、回路素子の製作や選別が容易になる。
【００２３】
さらに、本発明における電磁石は、従来の形態における電磁石と比べれば、構造が単純であり、部品点数が大幅に少なくて済み、設計が飛躍的に容易になる。
【００２４】
さらに、本発明における電磁石は、磁性体コアを電極板で挟み込む必要がなく、電極板間の放電を考慮して電磁石を真空容器に収める必要がないので、従来の形態における電磁石で必要不可欠であった真空容器を必要としない。これにより、設置スペースが制限されている円形加速器のリングの直線部を有効に活用することができる。また、真空容器に取り付けられている端子のように、非常に高い精度を要求する部品を使用する必要がない。しかも、真空特性を劣化させる磁性体コアを大気中に設置することができるので、荷電粒子ビームが周回する円形加速器のリング内を高真空状態に維持することができ、荷電粒子ビームの不必要な損失を避けることができる。
【図面の簡単な説明】
【００２５】
【図１】図１は、従来の形態におけるキッカー電磁石を備える円形加速器の概要を示す図である。
【図２】図２は、従来の形態におけるキッカー電磁石を備える高速励磁装置の概要を示す図である。
【図３】図３は、従来の形態におけるキッカー電磁石の概要を示す図である。
【図４】図４は、本発明に係わる実施の形態におけるキッカー電磁石を備える円形加速器の概要を示す図である。
【図５】図５は、本発明に係わる実施の形態におけるキッカー電磁石を備える高速励磁装置の概要を示す図である。
【図６】図６は、本発明に係わる実施の形態におけるキッカー電磁石の概要を示す斜視図である。
【図７】図７は、本発明に係わる実施の形態におけるキッカー電磁石を入射口側から見た側面図と、射出口側から見た側面図と、Ａ−Ａ線で切断して矢視方向に見た断面図とから構成される図である。
【図８Ａ】図８Ａは、本発明に係わる実施の形態におけるキッカー電磁石と補助回路とからなる回路の概要を示す第１の図である。
【図８Ｂ】図８Ｂは、本発明に係わる実施の形態におけるキッカー電磁石と補助回路とからなる回路の概要を示す第２の図である。
【図９】図９は、本発明に係わる実施の形態におけるキッカー電磁石と従来の形態におけるキッカー電磁石とのパルス応答の比較を示す図である。
【図１０】図１０は、本発明に係わる実施の形態におけるキッカー電磁石と従来の形態におけるキッカー電磁石との入力インピーダンスの比較を示す図である。
【発明を実施するための形態】
【００２６】
（実施の形態）
以下、本発明に係わる実施の形態について、図面を参照しながら説明する。
【００２７】
本実施の形態における高速励磁装置は、下記（ａ）〜（ｃ）に示される特徴を備える。
【００２８】
（ａ）伝送線を介して接続されているパルス電源から高電圧が印加されることで高速に励磁させて荷電粒子ビームを偏向させる高速励磁装置であって、（ａ１）集中定数回路の回路素子と等価であり、荷電粒子ビームの進行方向に対して貫通された空間が形成され、高電圧が印加されることで空間に磁場を瞬時に発生させ、空間を通過する荷電粒子ビームを偏向させる電磁石と、（ａ２）電磁石と組み合わさって整合回路を構成し、整合回路の入力インピーダンスと、整合回路の入力端子に接続される伝送線の特性インピーダンスとを整合する補助回路とを備える。
【００２９】
（ｂ）（ｂ１）電磁石は、コイルと磁性体のコアとから構成され、コイルの一端に伝送線を介してパルス電源が接続され、（ｂ２）補助回路は、（ｂ２−１）コイルの一端に一端が接続されている第１の回路素子と、（ｂ２−２）コイルの他端に一端が接続されている第２の回路素子と、（ｂ２−３）第１の回路素子の他端と第２の回路素子の他端とに一端が接続されている第３の回路素子と、（ｂ２−４）コイルの他端に一端が接続され、第３の回路素子の他端に他端が接続されている終端抵抗とを備える。
【００３０】
（ｃ）終端抵抗の抵抗値をＲとし、電磁石のインピーダンスをＺとした場合において、（ｃ１）第１の回路素子のインピーダンスが２Ｒ2／Ｚであり、（ｃ２）第２の回路素子のインピーダンスが２Ｒ2／Ｚであり、（ｃ３）第３の回路素子のインピーダンスがＺ／４である。
【００３１】
以上の点を踏まえて、本実施の形態における高速励磁装置について説明する。
【００３２】
図４は、本実施の形態におけるキッカー電磁石を備える円形加速器の概要を示す図である。図４に示されるように、円形加速器１００は、複数の偏向電磁石１１がリング状に設置されている。また、これら偏向電磁石１１の間のうち、すなわち、円形加速器１００のリングの直線部のうち、荷電粒子ビーム１２の入射箇所に、入射用のキッカー電磁石１５０が設置され、荷電粒子ビーム１２の射出箇所に、射出用のキッカー電磁石１５０が設置されている。
【００３３】
そして、入射用のキッカー電磁石１５０によって所定時間分の荷電粒子ビーム１２（以下、ビームバンチ１２と呼称する。）が円形加速器１００のリングに入射する。入射したビームバンチ１２は、複数の偏向電磁石１１によって偏向されて周回軌道をとりながら周回を重ねる。そして、周回を重ねるうちに加速され、十二分に加速された後に、射出用のキッカー電磁石１５０によって取り出される。
【００３４】
ここで、入射箇所と射出個所とに設置されるキッカー電磁石１５０は、キッカー電磁石１５と比べれば、構造が単純であり、コイルと磁性体（フェライトなど）とから構成され、集中定数回路を構成する一つの回路素子と等価である。さらに、補助回路１６０と組み合わさることで、キッカー電磁石１５０を駆動する駆動系との間でインピーダンス整合がとれた回路を構成する。
【００３５】
なお、キッカー電磁石１５０と補助回路１６０とは、別々に設置することができる。これによって、設置スペースが制限される円形加速器１００のリングの直線部を有効に活用することができる。ここでは、一例として、キッカー電磁石１５０は、０．２〜０．５ｍ程度の長さの直線部に設置されているとする。
【００３６】
図５は、本実施の形態におけるキッカー電磁石１５０を備える高速励磁装置の概要を示す図である。図５に示されるように、ここでは、一例として、高速励磁装置１４０は、キッカー電磁石１５０、補助回路１６０を備える。また、従来の高速励磁装置１４のように（例えば、図２参照。）、パルス電源、同軸ケーブルなどを備える。パルス電源２１は、直流充電電源、ＰＦＮ（Pulse Formulating Network）、サイラトロンなどを備える。キッカー電磁石１５０を励磁するにあたり、直流充電電源でＰＦＮを予め充電した後に、サイラトロンを点呼し、高電圧を出力する。これによって、キッカー電磁石１５０は、伝送線の一種である同軸ケーブル２２を介して、パルス波形の高電圧（以下、パルス電圧と呼称する。）がパルス電源から印加され、パルス電流が流れて駆動される。このようにして、高速励磁装置１４０は、円形加速器１００のリングの直線部に設置されたキッカー電磁石１５０を高速で励磁する。
【００３７】
図６は、本実施の形態におけるキッカー電磁石１５０の概要を示す斜視図である。図７は、本実施の形態におけるキッカー電磁石１５０を入射口１５５側から見た側面図と、射出口１５６側から見た側面図と、Ａ−Ａ線で切断して矢視方向に見た断面図とから構成される図である。図６，図７に示されるように、キッカー電磁石１５０は、ビームバンチ１２の進行方向に対して貫通された空間が磁性体１５１に形成されている。また、パルス波形の電流（以下、パルス電流と呼称する。）が流れる導体１５２，１５３が磁性体１５１の内側に取り付けられている。ここで、導体１５２，１５３は、射出口１５６側で短絡されている。さらに、貫通された空間にセラミック製のダクト１５４が挿入されて円形加速器１００のリングの直線部に設置される。
【００３８】
そして、あらかじめ真空にされているダクト１５４の内部をビームバンチ１２が通過し、入射口１５５側からビームバンチ１２が入射する時機を見計らってパルス電流が供給されたとする。この場合において、キッカー電磁石１５０は、ビームバンチ１２の進行方向に対して垂直方向に強磁場を発生させ、ビームバンチ１２を偏向させて、射出口１５６から射出する。
【００３９】
なお、導体１５３から導体１５２の向きに流れるパルス電流が供給されると、キッカー電磁石１５０は、ビームバンチ１２の進行方向に対して垂直方向（上向き）に強磁場を発生させる。逆向きのパルス電流が供給されると、逆向きの強磁場を発生させ、逆向きに偏向する。
【００４０】
図８Ａ、図８Ｂは、本実施の形態におけるキッカー電磁石１５０と補助回路１６０とからなる回路の概要を示す図である。図８Ａに示されるように、キッカー電磁石１５０は、補助回路１６０と組み合わさることで、４端子回路１７０と終端抵抗２３とからなる集中定数回路を構成する。
【００４１】
４端子回路１７０は、回路素子Ｚ１，Ｚ２，Ｚ３，Ｚ４から構成されるブリッジＴ型の４端子回路である。入力端子１７１が同軸ケーブル２２を介してパルス電源２１の出力端子に接続されている。出力端子１７３が終端抵抗２３の一端に接続されている。入力端子１７２が接地されている。出力端子１７４が終端抵抗２３の他端に接続されている。
【００４２】
また、４端子回路１７０は、回路素子Ｚ１の一端が入力端子１７１に接続され、回路素子Ｚ１の他端が出力端子に接続されている。回路素子Ｚ２の一端が入力端子１７１に接続され、回路素子Ｚ２の他端が回路素子Ｚ３の一端に接続されている。回路素子Ｚ３の一端が回路素子Ｚ２の他端に接続され、回路素子Ｚ３の他端が出力端子１７３に接続されている。回路素子Ｚ４の一端が回路素子Ｚ２の他端と回路素子Ｚ３の一端とに接続され、回路素子Ｚ４の他端が入力端子１７２と出力端子１７４とに接続されている。
【００４３】
ここで、終端抵抗２３の抵抗値をＲとし、回路素子Ｚ１のインピーダンスをＺとし、回路素子Ｚ２，Ｚ３のインピーダンスをＺpとし、回路素子Ｚ４のインピーダンスをＺsとする。この場合において、４端子回路１７０の入力インピーダンスＺinは、下記の式（１）で示される。
【００４４】
【数１】
2008072394.tif 000017
【００４５】
ここで、下記の式（２）で示される条件（以下、完全整合条件と呼称する。）を満たすとき、入力インピーダンスＺinがＲになる。
【００４６】
【数２】
2008072394.tif 000018
【００４７】
なお、完全整合条件を満たすＺsとＺpとの解は複数存在する。ここでは、一例として、下記の式（３）で示されるように、ＺsとＺpとの解を回路素子Ｚ１のインピーダンスＺを使用して定義する。
【００４８】
【数３】
2008072394.tif 000019
【００４９】
ここで、図８Ｂに示されるように、回路素子Ｚ１をキッカー電磁石１５０とする。また、回路素子Ｚ２，Ｚ３をコンデンサ１６１，１６２とする。回路素子Ｚ４をコイル１６３とする。この場合において、キッカー電磁石１５０のインダクタンスをＬとする。また、上記の式（３）から、コンデンサ１６１，１６２の静電容量をＬ／（２Ｒ2）とし、コイル１６３のインダクタンスをＬ／４とする。さらに、同軸ケーブル２２の特性インピーダンスをＺ0＝Ｒとすれば、４端子回路１７０の入力インピーダンスＺinは、周波数によらず、Ｒで一定の値とすることができる。これによって、４端子回路１７０の入力インピーダンスＺinと、同軸ケーブル２２の特性インピーダンスＺ0との整合を実現することができる。
【００５０】
このとき、４端子回路１７０は、パルス電圧Ｖ0に対するパルス電流Ｉmの周波数応答特性が低域通過網型の周波数特性になる。その遮断角周波数はωc＝２Ｒ／Ｌである。また、キッカー電磁石１５０に流れるパルス電流はＩm＝Ｖ0／Ｒである。
【００５１】
なお、キッカー電磁石１５０に印加されるパルス電圧Ｖ0（Ｖ0＜４０ｋＶ程度である。）が立ち上がるまでにパルス電源２１のサイラトロンのスイッチングに要するスイッチング遅延時間ｔs（ｔs〜２５ｎｓｅｃ程度である。）だけ要する。さらに、キッカー電磁石１５０にパルス電流Ｉmが伝達されるまでに電流伝達時間ｔm＝Ｌ／Ｒだけ要する。これから、最終的に、キッカー電磁石１５０に磁場が立ち上がるまでの立ち上がり時間はｔ＝ｔs＋ｔmになる。
【００５２】
ここで、一例として、パルス電流をＩm＝６ｋＡ、立ち上がり時間５０ｎｓｅｃ、パルス出力電圧Ｖ0＝３０ｋＶとする。この場合において、終端抵抗２３の抵抗値はＲ＜Ｖ0／Ｉm〜５Ω程度になり、キッカー電磁石１５０のインダクタンスはＬ＜Ｒ（ｔ−ｔs）〜０．１２５μＨ程度になる。
【００５３】
図９は、本実施の形態におけるキッカー電磁石１５０と従来の形態におけるキッカー電磁石１５とのパルス応答の比較を示す図である。図９に示されるように、ここでは、一例として、キッカー電磁石１５０のインダクタンスを０．１２５μＨとし、コンデンサ１６１，１６２の静電容量を２．５ｎＦとし、コイル１６３のインダクタンスを３１．２５ｎＨとする。この場合において、パルス電源２１からスイッチング遅延時間２５ｎｓｅｃで３０ｋＶのパルス電圧Ｖ0が印加されると、立ち上がり時間５０ｎｓｅｃで６ｋＡのパルス電流がキッカー電磁石１５０に流れる（グラフ１８０）。これに対して、キッカー電磁石１５では、５つに分割された磁性体コアに順次パルス電流が流れ、５０ｎｓｅｃで立ち上がることが示されている（グラフ１８）。
【００５４】
すなわち、立ち上がり時間に関しては、両者に顕著な差がみられない。これにより、複雑な構造のキッカー電磁石１５の代わりに、単純な構造のキッカー電磁石１５０によっても、同等の立ち上がり時間を実現することができる。
【００５５】
図１０は、本実施の形態におけるキッカー電磁石１５０と従来の形態におけるキッカー電磁石１５との入力インピーダンスの比較を示す図である。図１０に示されるように、従来の形態におけるキッカー電磁石１５では、遮断周波数より高い帯域においては、入力インピーダンスが周波数に依存し、整合をとることができない（グラフ１９）。しかし、本実施の形態におけるキッカー電磁石１５０では、補助回路１６０と組み合わさることによって、全周波数帯域に亘ってインピーダンスが５Ωで一定となる（グラフ１９０）。このため、反射による破壊故障が起き難くなり、長期間安定して運転することが容易になる。その結果として、放射線被爆のある保守作業を軽減することができる。
【００５６】
以上、本実施の形態における高速励磁装置１４０によれば、キッカー電磁石１５０が集中定数回路を構成する一つの回路素子として設計されているにもかかわらず、キッカー電磁石１５０と補助回路１６０とが組み合わさることで、原理的に全周波数帯域に亘って入力インピーダンスを一定にすることができる。このため、４端子回路１７０と同軸ケーブル２２との間で完全な整合をとることができ、一切反射が起こらないようにすることができる。反射による破壊故障が極力さけられ、長期間に亘って安定した運転を実現することが期待でき、放射線被爆を含む保守作業を軽減することができる。
【００５７】
さらに、キッカー電磁石１５０と補助回路１６０とは、別々に実装することができる。これにより、補助回路１６０の回路素子として安価でサイズが大きい部品を利用することができ、耐電圧条件の緩和等、回路素子の製作や選別が容易になる。
【００５８】
さらに、キッカー電磁石１５０は、キッカー電磁石１５と比べれば、構造が単純であり、部品点数が大幅に少なくて済み、キッカー電磁石１５０自体の設計が飛躍的に容易になる。
【００５９】
さらに、キッカー電磁石１５０は、従来の形態におけるキッカー電磁石１５で必要不可欠であった真空容器を必要としない。これにより、設置スペースが制限されている円形加速器１００のリングの直線部を有効に活用することができる。また、真空容器に取り付けられている端子のように、非常に高い精度を要求する部品を使用する必要がない。しかも、真空特性を劣化させる磁性体コアを大気中に設置することができるので、荷電粒子ビームが周回する円形加速器のリング内を高真空状態に維持することができ、荷電粒子ビームの不必要な損失を避けることができる。
【産業上の利用可能性】
【００６０】
本発明は、電磁石を瞬時的に励磁することで発生させた磁場を荷電粒子ビームに作用させ、荷電粒子ビームを円形加速器に入射させる、または荷電粒子ビームを円形加速器から射出させる高速励磁装置及びそれを備える円形加速器などとして、利用することができる。
【符号の説明】
【００６１】
１０  円形加速器
１１  偏向電磁石
１２  荷電粒子ビーム（ビームバンチ）
１３  高周波加速装置
１４  高速励磁装置
１５  キッカー電磁石
１７  励磁回路
２１  パルス電源
２２  同軸ケーブル
２３  終端抵抗
１５ａ，１５ｂ，１５ｃ  電極板
１５ｄ  磁性体コア
１６ａ，１６ｂ  回路素子（コンデンサ）
１６ｄ  回路素子（インダクタ）
１００  加速器
１４０  高速励磁装置
１５０  キッカー電磁石（回路素子Ｚ１）
１５１  磁性体
１５２，１５３  導体
１５４  ダクト
１５５  入射口
１５６  射出口
１６０  補助回路
１６１  コンデンサ（回路素子Ｚ２）
１６２  コンデンサ（回路素子Ｚ３）
１６３  コイル（回路素子Ｚ４）
１７０  ４端子回路
１７１，１７２  入力端子
１７３，１７４  出力端子
【手続補正２】
【補正対象書類名】特許請求の範囲
【補正対象項目名】全文
【補正方法】変更
【補正の内容】
【特許請求の範囲】
【請求項１】
伝送線を介して接続されているパルス電源から高電圧が印加されることで高速に励磁させて荷電粒子ビームを偏向させる高速励磁装置であって、
集中定数回路の回路素子と等価な電磁石であり、荷電粒子ビームの進行方向に対して貫通された空間が形成され、前記高電圧が印加されることで前記空間に磁場を瞬時に発生させ、前記空間を通過する荷電粒子ビームを偏向させる電磁石と、
前記電磁石と組み合わさって整合回路を構成し、前記整合回路の入力インピーダンスと、前記整合回路の入力端子に接続される前記伝送線の特性インピーダンスとを整合する補助回路とを備え、
前記電磁石と前記補助回路とが組み合わさって構成される整合回路は、前記伝送線に接続されるブリッジＴ型４端子回路を含み、
前記ブリッジＴ型４端子回路におけるブリッジは、前記電磁石を構成するコイルである
ことを特徴とする高速励磁装置。
【請求項２】
前記電磁石は、コイルと磁性体のコアとから構成され、前記コイルの一端に前記伝送線を介して前記パルス電源が接続され、
前記補助回路は、
前記コイルの一端に一端が接続されている第１の回路素子と、
前記コイルの他端に一端が接続されている第２の回路素子と、
前記第１の回路素子の他端と前記第２の回路素子の他端とに一端が接続されている第３の回路素子と、
前記コイルの他端に一端が接続され、前記第３の回路素子の他端に他端が接続されている終端抵抗と
を備えることを特徴とする請求項１に記載の高速励磁装置。
【請求項３】
前記終端抵抗の抵抗値をＲとし、前記電磁石のインピーダンスをＺとした場合において、
前記第１の回路素子のインピーダンスが２Ｒ2／Ｚであり、
前記第２の回路素子のインピーダンスが２Ｒ2／Ｚであり、
前記第３の回路素子のインピーダンスがＺ／４である
ことを特徴とする請求項２に記載の高速励磁装置。
【請求項４】
荷電粒子ビームを加速する円形加速器であって、
リング状に設置された複数の偏向電磁石と、
前記荷電粒子ビームの走行途上に設置された請求項１記載の高速励磁装置とを備える
ことを特徴とする円形加速器。
【国際調査報告】
2008072394.tif 000020
2008072394.tif 000021